(57)【要約】【課題】レンズホルダが衝撃を受けた場合、レンズホルダのディスク側への揺動を規制して対物レンズとディスクとの衝突を防止することができる光ピックアップ装置を提供する。【解決手段】対物レンズ１４ｂを保持するレンズホルダ１６と、レンズホルダ１６をワイヤ２０ａ・・２１ａ・・で片持ち支持するワイヤ支持部２２と、ワイヤ支持部２２を固定した基台２３とを備え、ディスク３の記録面に対物レンズ１４ｂを対向させてディスク３の半径方向に基台２３をキャリッジ６で移動させるようにしており、レンズホルダ１６は、筒状部１８ａ、１８ｂと、筒状部１８ａ、１８ｂの内周面に略同心に設けられたフォーカシングコイルとを有し、基台２３に、筒状部１８ａ、１８ｂに遊嵌してレンズホルダ１６のディスク３側への揺動を規制する下向き状のテーパ面３０ｃ、３０ｄ、３１ｃ、３１ｄを有する規制部３０、３１を立設している。【選択図】図５
2009199659.tif 000002
【特許請求の範囲】
【請求項１】
レンズを保持するレンズホルダと、該レンズホルダをワイヤで片持ち支持するワイヤ支持部と、該ワイヤ支持部を固定した基台とを備え、ディスクに前記レンズを対向させて該ディスクの半径方向に前記基台を移動させるようにしている光ピックアップ装置において、
前記レンズホルダに設けられた筒状部と、
前記レンズホルダの揺動を規制すべく前記筒状部に遊嵌しており、前記基台に突設された規制部と
を備え、
該規制部の前記半径方向の側部の一部又は全部が、前記半径方向に対して傾斜したテーパ状になっていることを特徴とする光ピックアップ装置。
【請求項２】
レンズを保持するレンズホルダと、該レンズホルダをワイヤで片持ち支持するワイヤ支持部と、該ワイヤ支持部を固定した基台とを備え、ディスクに前記レンズを対向させて該ディスクの半径方向に前記基台を移動させるようにしている光ピックアップ装置において、
前記レンズホルダに設けられた筒状部と、
前記レンズホルダの揺動を規制すべく前記筒状部に遊嵌しており、前記基台に前記半径方向における断面積が前記ディスク側に向けて増大して突設された規制部と
を備えることを特徴とする光ピックアップ装置。
【請求項３】
前記規制部は、前記半径方向の一方の側部が前記半径方向に対して傾斜したテーパ面になっており、他方の側部が前記半径方向に対して垂直面になっていることを特徴とする請求項１又は２に記載の光ピックアップ装置。
【請求項４】
前記規制部は四角錐台状をしていることを特徴とする請求項１から３のいずれか一つに記載の光ピックアップ装置。
【請求項５】
前記規制部は前記半径方向と交差する方向に対向した二つの台形状の板であることを特徴とする請求項１から３のいずれか一つに記載の光ピックアップ装置。
【請求項６】
前記規制部は、
前記半径方向に又は前記半径方向と交差する方向に対向して前記基台に突設された二つの板状の基部と、
前記ディスク側に拡大した規制カバーとからなっており、
該規制カバーを前記基部に被覆していることを特徴とする請求項１から４までのいずれか一つに記載の光ピックアップ装置。
【請求項７】
前記基台は磁性体からなり、該基台に固定された磁石を備え、
前記規制部は前記磁石と磁気ギャップを形成するヨークであることを特徴とする請求項１から６までのいずれか一つに記載の光ピックアップ装置。
【請求項８】
前記筒状部は四角筒状をしており、該筒状部の前記半径方向のいずれか又は両方の内側面の一部又は全部が、前記ディスク側の反対方向に対して傾斜したテーパ面になっていることを特徴とする請求項１から７までのいずれか一つに記載の光ピックアップ装置。
【請求項９】
前記規制部の前記ディスク側の一端部は、前記半径方向に突出していることを特徴とする請求項８に記載の光ピックアップ装置。
【請求項１０】
前記筒状部は該筒状部の前記半径方向の内面から前記規制部側に突出する突出部を有することを特徴とする請求項１から７までのいずれか一つに記載の光ピックアップ装置。
【請求項１１】
レンズを保持するレンズホルダと、該レンズホルダをワイヤで片持ち支持するワイヤ支持部と、該ワイヤ支持部を固定した基台とを備え、ディスクに前記レンズを対向させて該ディスクの半径方向に前記基台を移動させるようにしている光ピックアップ装置において、
前記レンズホルダに設けられた筒状部と、
前記レンズホルダの揺動を規制すべく前記筒状部に遊嵌しており、前記基台に突設された規制部と
を備え、
該規制部の前記ディスク側の一端部は、前記半径方向に突出しており、
前記筒状部は四角筒状をしており、該筒状部の前記半径方向のいずれか又は両方の内側面の一部又は全部が、前記ディスク側の反対方向に対して傾斜したテーパ面になっていることを特徴とする光ピックアップ装置。
【発明の詳細な説明】
【技術分野】
【０００１】
本発明は、レンズホルダのレンズとディスクとの衝突を防止する構造を備える光ピックアップ装置に関する。
【背景技術】
【０００２】
情報の記録再生で使用される光ディスク及び光磁気ディスク等のディスクは、ディスクドライブに設けられた光ピックアップ装置で記録再生される。
ディスクを記録再生する場合、ディスクドライブはターンテーブルに装着されたディスクをスピンドルモータで回転させる。光ピックアップ装置は、ディスクに対して半径方向に移動し、レーザ発振器から発射したレーザ光を、レンズホルダに保持された対物レンズで集光してディスクの記録面に当てる。そして、光ピックアップ装置は、ディスクの記録面からの反射光を光センサで捕らえて情報を再生し、記録している。
【０００３】
このような光ピックアップ装置は、対物レンズを保持するレンズホルダを弾性部材のワイヤで片持ち支持するワイヤ支持部で懸架して可動にしており、ワイヤ支持部はディスクの半径方向に移動する基台に固定されている。レンズホルダをディスクの記録面に対して変位させるトラッキング制御及びフォーカシング制御により、対物レンズは、ディスクの偏芯及び回転による面ぶれの位置変動に対して追従し、ディスクのデータピットに合焦している。
【０００４】
ところで、レンズホルダの対物レンズとディスクの記録面とは近接しており、さらにレンズホルダがワイヤで片持ち支持されているため、光ピックアップ装置への衝撃及び光ピックアップ装置の高速移動によるレンズホルダの共振等により、レンズホルダが揺動して、対物レンズとディスクとが衝突する場合がある。
【０００５】
また、光ピックアップ装置の移動開始及び停止の際、レンズホルダの慣性力によりレンズホルダに衝撃的な揺動が生じ、トラッキング制御及びフォーカシング制御するために磁気コイルが取り付けられたレンズホルダは、磁気コイル近傍の磁気回路をなすヨークと衝突して跳ね上がり、対物レンズとディスクとが衝突する場合が有り得る。
【０００６】
このような対物レンズとディスクとの衝突を防止するため、レンズホルダには衝突防止用の部材が設けられている。
特許文献１に示す例では、レンズホルダがフォーカス方向及びトラッキング方向に変位可能なように弾性支持部材で片持ち支持されており、ディスクの最内周位置から最外周位置まで移動する際に、対物レンズとディスクとのあらゆる位置関係において衝突を防止するため、レンズホルダに備えた対物レンズの周囲に、該対物レンズよりもディスク側に突出した突起部を設けて、対物レンズとディスクとの衝突を防止している。さらに衝突によるディスクの損傷を防止すべく、突起部の衝突面に柔らかい材料がコーティングされている。
また特許文献２に示す例では、ディスクの高密度化及び大容量化に対応して、光ピックアップ装置における対物レンズとディスクとの距離を狭くした場合においても、対物レンズとディスクとの衝突を防止するため、レンズホルダをフォーカシング制御によりディスク側へ移動可能に支持する支持軸の先端に、対物レンズよりもディスク側に突出した突出部分を設けて、対物レンズとディスクとの衝突を防止している。
【特許文献１】特開２００６−３３１５１５号公報
【特許文献２】特開２００２−２９８４０４号公報
【発明の開示】
【発明が解決しようとする課題】
【０００７】
しかしながら従来の特許文献１及び２のような突起部又は突出部分は、レンズホルダの対物レンズよりもディスク側に突出しており、レンズホルダのフォーカス可動範囲を狭めているため、反ったディスク及び面ぶれするディスク等では正確に合焦させにくい。
またデジタルビデオディスク（ＤＶＤ）の次世代の光ディスク規格として、ブルーレイディスク（ＢＤ）が注目されているが、ＢＤのワーキングディスタンス（対物レンズとディスクとの距離）は０．２ｍｍと極めて短く、従来のような衝突防止部をレンズホルダに設けるには限界がある。
【０００８】
本発明は、このような事情に鑑みてなされたものであって、その目的とするところは、光ピックアップ装置にレンズホルダの揺動を規制する規制部の側部をテーパ状にしている構成を備えることにより、レンズホルダが衝撃を受けた場合、レンズホルダのディスク側への揺動を規制してレンズホルダのレンズとディスクとの衝突を防止することができる光ピックアップ装置を提供することにある。
【課題を解決するための手段】
【０００９】
本発明の光ピックアップ装置は、レンズを保持するレンズホルダと、該レンズホルダをワイヤで片持ち支持するワイヤ支持部と、該ワイヤ支持部を固定した基台とを備え、ディスクに前記レンズを対向させて該ディスクの半径方向に前記基台を移動させるようにしている光ピックアップ装置において、前記レンズホルダに設けられた筒状部と、前記レンズホルダの揺動を規制すべく前記筒状部に遊嵌しており、前記基台に突設された規制部とを備え、該規制部の前記半径方向の側部の一部又は全部が、前記半径方向に対して傾斜したテーパ状になっていることを特徴とする。
【００１０】
このような構成の本発明の光ピックアップ装置では、レンズホルダがディスクの半径方向に衝撃的に揺動した場合、筒状部の開口周縁が規制部のテーパ状の側部に衝突して、レンズホルダがディスクの反対側へ跳ね返る。この跳ね返りによりレンズホルダの筒状部の開口周縁の一部は、テーパ状の側部に再衝突して、レンズホルダが揺動を繰り返し、揺動が減衰する。テーパ状の側部は、筒状部の開口周縁の一部に当接してレンズホルダの揺動を封じ、レンズホルダのディスク側への揺動を規制する。
したがって、本発明の光ピックアップ装置では、規制部がレンズホルダの筒状部でディスク側への揺動を規制し、レンズホルダの保持するレンズがディスクに衝突しない。
【００１１】
本発明の光ピックアップ装置は、レンズを保持するレンズホルダと、該レンズホルダをワイヤで片持ち支持するワイヤ支持部と、該ワイヤ支持部を固定した基台とを備え、ディスクに前記レンズを対向させて該ディスクの半径方向に前記基台を移動させるようにしている光ピックアップ装置において、前記レンズホルダに設けられた筒状部と、前記レンズホルダの揺動を規制すべく前記筒状部に遊嵌しており、前記基台に前記半径方向における断面積が前記ディスク側に向けて増大して突設された規制部とを備えることを特徴とする。
【００１２】
このような構成の本発明の光ピックアップ装置では、レンズホルダがディスクの半径方向に衝撃的に揺動した場合、筒状部の開口周縁が規制部に衝突して、レンズホルダがディスクの反対側へ跳ね返る。この跳ね返りによりレンズホルダの筒状部の開口周縁の一部は、規制部に再衝突して、レンズホルダが揺動を繰り返し、揺動が減衰する。規制部は、筒状部の開口周縁の一部に当接してレンズホルダの揺動を封じ、レンズホルダのディスク側への揺動を規制する。
したがって、本発明の光ピックアップ装置では、規制部がレンズホルダの筒状部でディスク側への揺動を規制し、レンズホルダの保持するレンズがディスクに衝突しない。
【００１３】
本発明の光ピックアップ装置は、前記規制部は、前記半径方向の一方の側部が前記半径方向に対して傾斜したテーパ面になっており、他方の側部が前記半径方向に対して垂直面になっていることを特徴とする。
【００１４】
このような構成の本発明の光ピックアップ装置では、レンズホルダがディスクの半径方向に衝撃的に揺動した場合、レンズホルダの筒状部の開口周縁の一部が、規制部の他方の側部の垂直面よりも先に一方の側部のテーパ面に衝突して、レンズホルダがディスクの反対側へ跳ね返る。この跳ね返りによりレンズホルダの筒状部の開口周縁の一部は、一方の側部のテーパ面に再衝突して、レンズホルダが揺動を繰り返し、揺動が減衰する。
側部のテーパ面は、筒状部の開口周縁の一部に当接してレンズホルダの揺動を封じ、レンズホルダのディスク側への揺動を規制する。
【００１５】
本発明の光ピックアップ装置は、前記規制部は四角錐台状をしていることを特徴とする。
【００１６】
このような構成の本発明の光ピックアップ装置では、規制部の一方の側部が半径方向に対して傾斜したテーパ面になり、他方の側部が半径方向に対して傾斜したテーパ面又は半径方向に対して垂直な垂直面になる。
レンズホルダがディスクの半径方向に衝撃的に揺動した場合、レンズホルダの筒状部の開口周縁の一部が、規制部の他方の垂直面又はテーパ面よりも先に一方のテーパ面に衝突して、レンズホルダがディスクの反対側へ跳ね返る。この跳ね返りによりレンズホルダの筒状部の開口周縁の一部は、側部のテーパ面に再衝突して、レンズホルダが揺動を繰り返し、揺動が減衰する。規制部のテーパ面は、筒状部の開口周縁の一部に当接してレンズホルダの揺動を封じ、レンズホルダのディスク側への揺動を規制する。
【００１７】
本発明の光ピックアップ装置は、前記規制部は前記半径方向と交差する方向に対向した二つの台形状の板であることを特徴とする。
【００１８】
このような構成の本発明の光ピックアップ装置では、レンズホルダがディスクの半径方向に衝撃的に揺動した場合、レンズホルダの筒状部の開口周縁の一部が、規制部である台形状の板のテーパ状の側部に衝突して、レンズホルダがディスクの反対側へ跳ね返る。この跳ね返りによりレンズホルダの筒状部の開口周縁の一部は、台形状の板のテーパ状の側部に再衝突して、レンズホルダが揺動を繰り返し、揺動が減衰する。台形状の板のテーパ状の側部は、筒状部の開口周縁の一部に当接してレンズホルダの揺動を封じ、レンズホルダのディスク側への揺動を規制する。
【００１９】
本発明の光ピックアップ装置は、前記規制部は、前記半径方向に又は前記半径方向と交差する方向に対向して前記基台に突設された二つの板状の基部と、前記ディスク側に拡大した規制カバーとからなっており、該規制カバーを前記基部に被覆していることを特徴とする。
【００２０】
このような構成の本発明の光ピックアップ装置では、規制カバーは、基台に立設した基部に被覆することにより、半径方向に対して傾斜したテーパ状の側部を有する規制部になる。規制カバーが、例えば樹脂製の場合、種々の形態の規制部の形成が容易になる。
レンズホルダがディスクの半径方向に衝撃的に揺動した場合、レンズホルダの筒状部の開口周縁の一部が、規制カバーのテーパ状の側部に衝突して、レンズホルダがディスクの反対側へ跳ね返る。この跳ね返りによりレンズホルダの筒状部の開口周縁の一部は、規制カバーのテーパ状の側部に再衝突して、レンズホルダが揺動を繰り返し、揺動が減衰する。規制カバーのテーパ状の側部は、筒状部の開口周縁の一部に当接してレンズホルダの揺動を封じ、レンズホルダのディスク側への揺動を規制する。
【００２１】
本発明の光ピックアップ装置は、前記基台は磁性体からなり、該基台に固定された磁石を備え、前記規制部は前記磁石と磁気ギャップを形成するヨークであることを特徴とする。
【００２２】
このような構成の本発明の光ピックアップ装置では、規制部は、例えばレンズホルダをトラッキング制御又はフォーカシング制御するための磁気回路のヨークを兼用する。
ディスクの記録面に垂直な方向の駆動力が発生した場合、レンズホルダの筒状部に遊嵌している規制部は、レンズホルダをディスク側に案内する。
【００２３】
本発明の光ピックアップ装置は、前記筒状部は四角筒状をしており、該筒状部の前記半径方向のいずれか又は両方の内側面の一部又は全部が、前記ディスク側の反対方向に対して傾斜したテーパ面になっていることを特徴とする。
【００２４】
このような構成の本発明の光ピックアップ装置では、ディスクと反対側のテーパ面の縁が、規制部側に突き出ている。レンズホルダがディスクの半径方向に衝撃的に揺動した場合、筒状部のテーパ面の縁が、規制部のテーパ状の側部に衝突して、レンズホルダがディスクの反対側へ跳ね返る。この跳ね返りによりレンズホルダの筒状部のテーパ面の縁は、規制部のテーパ状の側部に再衝突して、レンズホルダが揺動を繰り返し、揺動が減衰する。規制部のテーパ状の側部は、筒状部のテーパ面の縁に当接してレンズホルダの揺動を封じ、レンズホルダのディスク側への揺動を規制する。
【００２５】
本発明の光ピックアップ装置は、前記規制部の前記ディスク側の一端部は、前記半径方向に突出していることを特徴とする。
【００２６】
このような構成の本発明の光ピックアップ装置では、レンズホルダがディスクの半径方向に衝撃的に揺動した場合、筒状部のテーパ面が規制部の一端部又はテーパ状の側部に衝突して、レンズホルダがディスクの反対側へ跳ね返る。この跳ね返りによりレンズホルダの筒状部のテーパ面は、規制部の一端部又はテーパ状の側部に再衝突して、レンズホルダが揺動を繰り返し、揺動が減衰する。規制部の一端部又はテーパ状の側部は、筒状部のテーパ面に当接してレンズホルダの揺動を封じ、レンズホルダのディスク側への揺動を規制する。
【００２７】
本発明の光ピックアップ装置は、前記筒状部は該筒状部の前記半径方向の内面から前記規制部側に突出する突出部を有することを特徴とする。
【００２８】
このような構成の本発明の光ピックアップ装置では、レンズホルダがディスクの半径方向に衝撃的に揺動した場合、筒状部の突出部が、規制部のテーパ状の側部に衝突して、レンズホルダがディスクの反対側へ跳ね返る。この跳ね返りによりレンズホルダの筒状部の突出部は、規制部のテーパ状の側部に再衝突して、レンズホルダが揺動を繰り返し、揺動が減衰する。規制部のテーパ状の側部は、筒状部の突出部に当接してレンズホルダの揺動を封じ、レンズホルダのディスク側への揺動を規制する。
【００２９】
本発明の光ピックアップ装置は、レンズを保持するレンズホルダと、該レンズホルダをワイヤで片持ち支持するワイヤ支持部と、該ワイヤ支持部を固定した基台とを備え、ディスクに前記レンズを対向させて該ディスクの半径方向に前記基台を移動させるようにしている光ピックアップ装置において、前記レンズホルダに設けられた筒状部と、前記レンズホルダの揺動を規制すべく前記筒状部に遊嵌しており、前記基台に突設された規制部とを備え、該規制部の前記ディスク側の一端部は、前記半径方向に突出しており、前記筒状部は四角筒状をしており、該筒状部の前記半径方向のいずれか又は両方の内側面の一部又は全部が、前記ディスク側の反対方向に対して傾斜したテーパ面になっていることを特徴とする。
【００３０】
このような構成の本発明の光ピックアップ装置では、レンズホルダがディスクの半径方向に衝撃的に揺動した場合、筒状部のテーパ面が規制部の一端部に衝突して、レンズホルダがディスクの反対側へ跳ね返る。この跳ね返りによりレンズホルダの筒状部のテーパ面は、規制部の一端部に再衝突して、レンズホルダが揺動を繰り返し、揺動が減衰する。規制部の一端部は、筒状部のテーパ面に当接してレンズホルダの揺動を封じ、レンズホルダのディスク側への揺動を規制する。
【発明の効果】
【００３１】
本発明の光ピックアップ装置は、レンズホルダの揺動を規制する規制部の側部をテーパ状にしているので、規制部のテーパ状の側部がレンズホルダの筒状部に当接してレンズホルダの揺動を封じ、レンズホルダのディスク側への揺動を規制することができるという効果を有する。
したがって、本発明の光ピックアップ装置は、レンズホルダのレンズとディスクとの衝突を防止することができる。
【発明を実施するための最良の形態】
【００３２】
以下、図面に基づき、本発明による光ピックアップ装置の好適な実施の形態を説明する。
（実施の形態１）
図１は本発明の実施の形態１に係る光ピックアップ装置を備えるディスクドライブの概略内部構造を示す斜視図、図２はレンズアクチュエータユニットがキャリッジに配設された光ピックアップ装置の平面図、図３はレンズアクチュエータユニットを上方から視た斜視図、図４はレンズアクチュエータユニットの基台を上方から視た斜視図、図５はレンズホルダのガイド孔と基台の規制部との位置関係を示す図２のＶ−Ｖ断面図である。
なお、図５において一部ハッチングを省略した。
ディスクドライブ１は平面視長方形の板状をなすシャーシ２にＣＤ又はＤＶＤ等の円盤状のディスク３を装着するターンテーブル４と、ターンテーブル４を回転させるスピンドルモータ５と、ディスク３の情報を記録再生する光ピックアップ装置１０とを備える。
ターンテーブル４は、ディスク３を平置きで記録面を下向きにして装着するように設けられている。
【００３３】
光ピックアップ装置１０は、該光ピックアップ装置１０のハウジングを兼ねる台座状のキャリッジ６に配設されている。キャリッジ６は、二本の平行なガイドシャフト７ａ、７ｂに支持されており、一方のガイドシャフト７ａの外側寄りに、スクリューシャフト９に螺合する螺合部８を備えている。スクリューシャフト９は、一方のガイドシャフト７ａの近傍に対向して配設されている。
【００３４】
スクリューシャフト９はサーボモータ１１の回転軸と同軸に結合している。サーボモータ１１の回動駆動によりスクリューシャフト９が回動し、スクリューシャフト９の回動と連動して、螺合部８がスクリューシャフト９に沿って移動し、キャリッジ６がガイドシャフト７ａ、７ｂに案内されるようになっている。
キャリッジ６は、ディスク３の記録面に対向して、該ディスク３の半径方向を水平に往復移動するようにしてある。
【００３５】
光ピックアップ装置１０は、レンズアクチュエータユニット１２と、レーザ光をディスク３の記録面に照射するレーザ光源（図示せず）及びディスク３の記録面から反射したレーザ光を集光するフォトディテクタ（図示せず）等の光学系とを備える。
キャリッジ６はディスク３と対向する上面に平面視矩形状の凹部６ａを有しており、凹部６ａ内に、レンズアクチュエータユニット１２が、ディスク３の記録面に臨むように収容されている。
【００３６】
以下、ディスク３の記録面と直交する方向がＺ軸方向であり、ディスク３の半径方向で外側へキャリッジ６の移動する方向がＹ軸正方向（簡略して「Ｙ軸方向」とする）であり、Ｙ軸に直交するＸ軸方向が右手系の直交座標系であるとする。ディスク３の半径方向はＹ軸正逆方向を含むものとする。
なお、ガイドシャフト７ａ、７ｂ及びスクリューシャフト９はＹ軸方向と平行になっている。
【００３７】
レンズアクチュエータユニット１２は、異なるディスク３で記録再生できるように二つの対物レンズ１４ａ、１４ｂをディスク３の記録面に対向させて固定した樹脂製のレンズホルダ１６と、レンズホルダ１６を弾性部材のワイヤで片持ち支持するＹ軸方向に長い直方体状で樹脂製のワイヤ支持部２２とを備える。ワイヤ支持部２２はガイドシャフト７ａ寄りでＹ軸方向と略平行に位置している。
各対物レンズ１４ａ、１４ｂの下方に、レーザ光を対物レンズ１４ａ、１４ｂの光軸に反射させる立上ミラー１５ａ、１５ｂ（図５を参照）が、凹部６ａの底面に配設されている。
【００３８】
図２に示すように、レンズホルダ１６は、平面視十字状をしており、Ｘ軸方向に長い平面視矩形状のレンズ保持部１７と、レンズ保持部１７のＸ軸方向に沿う両側面の略中央部からＹ軸の正逆両方向へ突出しており、Ｚ軸方向に貫通して規制部３０、３１を案内するガイド孔１９ａ、１９ｂが形成された四角筒状の筒状部１８ａ、１８ｂとを有する。ガイド孔１９ａ、１９ｂはＸ軸方向が長い平面視矩形状をしている。
レンズ保持部１７は対物レンズ１４ａ、１４ｂをＸ軸方向に並設している。
【００３９】
図３に示すように、ディスク３の記録面と直交するＺ軸方向に対物レンズ１４ａ、１４ｂを駆動するための二つのフォーカシングコイル３２ａ、３２ｂが、各ガイド孔１９ａ、１９ｂが形成された筒状部１８ａ、１８ｂの各内周面の略全長にわたり、Ｚ軸方向に沿って固設されている。二つのフォーカシングコイル３２ａ、３２ｂは直列に接続されている。
【００４０】
また一方の筒状部１８ａのＹ軸方向に沿う両側面に、ディスク３のＹ軸方向に対物レンズ１４ａ、１４ｂを駆動するためのトラッキングコイル３３ａ、３３ｂが、Ｚ軸方向と平行な部分を有するように固設されている。
さらに他方の筒状部１８ｂのＹ軸方向に沿う両側面に、ディスク３のＹ軸方向に対物レンズ１４ａ、１４ｂを駆動するためのトラッキングコイル３４ａ、３４ｂが、Ｚ軸方向と平行な部分を有するように固設されている。
四つのトラッキングコイル３３ａ、３３ｂ、３４ａ、３４ｂは直列に接続されている。
【００４１】
一方の筒状部１８ａのＸ軸方向に沿う側面２０に、弾性及び導電性を有する三本の平行なワイヤ２０ａ、２０ｂ、２０ｃの各一端部が固定されている。他方の筒状部１８ｂのＸ軸方向に沿う側面２１に、弾性及び導電性を有する三本の平行なワイヤ２１ａ、２１ｂ、２１ｃの各一端部が固定されている。
【００４２】
側面２０と側面２１との距離、即ち、レンズホルダ１６のＹ軸方向の寸法は、ワイヤ支持部２２のＹ軸方向の寸法よりも短くなっている。各ワイヤ２０ａ、２０ｂ、２０ｃ及び各ワイヤ２１ａ、２１ｂ、２１ｃの各他端部は、ワイヤ支持部２２のＹ軸方向に沿うガイドシャフト７ａと反対側の側面２２ａにて、該側面２２ａの両端部２２ｃ、２２ｄの近傍に突き当たった状態で固定されている。レンズホルダ１６は、ワイヤ２０ａ・・２１ａ・・でワイヤ支持部２２に片持ち支持されており、Ｚ軸方向及びＹ軸方向に可動になっている。
なお、ワイヤ支持部２２の上端面とレンズホルダ１６の上端面とは面一になっている。
【００４３】
ワイヤ支持部２２のガイドシャフト７ａ側の側面２２ｂには、回路配線基板３５が固定されており、ワイヤ２０ａ・・２１ａ・・に通電できるようになっている。回路配線基板３５は、ワイヤ２０ａ・・２１ａ・・を介してフォーカシングコイル３２ａ、３２ｂ及びトラッキングコイル３３ａ、３３ｂ、３４ａ、３４ｂに通電できるようになっている。
【００４４】
ワイヤ支持部２２は、ヨークを兼ねた基台２３上に固定されている。
図４に示すように、基台２３はＸ軸方向に長い平面視矩形状をなし、Ｙ軸方向に沿うガイドシャフト７ａ側の一側縁２３ｃに挟着部２７が形成されている。挟着部２７は、一側縁２３ｃの両端部からＸ軸逆方向に延出され、Ｚ軸方向に立設された対向する二つの板状壁２７ａ、２７ｂからなる。挟着部２７の板状壁２７ａ、２７ｂの間で、ワイヤ支持部２２が挟着固定されている。
基台２３のＹ軸方向の中央部には、一側縁２３ｃから他側縁２３ｄにわたり、長孔２３ａが形成されている。長孔２３ａの大きさは、レンズ保持部１７の平面視矩形状の大きさよりも少し大きくしている。
【００４５】
一側縁２３ｃの両端部を除く部分に、Ｙ軸方向に長いＸ軸方向視矩形状の支柱壁２５ａが立設されている。さらに支柱壁２５ａと対向し、縦横の寸法が略同寸法の支柱壁２５ｂが、他側縁２３ｄに立設されている。各支柱壁２５ａ、２５ｂのＹ軸方向の略中央部に、長孔２３ａと連設された横長矩形状の孔２６ａ、２６ｂが形成されている。
【００４６】
支柱壁２５ａの上端面２５ｃをＹ軸方向に三等配する位置の上端面２５ｃ中央部よりの二箇所に突起部２８ａ、２８ｂがＸ軸方向に突設されており、永久磁石２４ａ、２４ｂのＹ軸方向の位置決めをしている。
また支柱壁２５ｂの上端面２５ｄをＹ軸方向に三等配する位置の上端面２５ｄ中央部よりの二箇所に突起部２８ｃ、２８ｄがＸ軸逆方向に突設されており、永久磁石２４ｃ、２４ｄのＹ軸方向の位置決めをしている。
【００４７】
突起部２８ａ及び突起部２８ｃは対向し、突起部２８ｂ及び突起部２８は対向している。
支柱壁２５ａの内側で孔２６ａを挟む位置にて、四角柱状の永久磁石２４ａ、２４ｂが支柱壁２５ａに接着固定されている（図３参照）。
さらに支柱壁２５ｂの内側で孔２６ｂを挟む位置にて、四角柱状の永久磁石２４ｃ、２４ｄが支柱壁２５ｂに接着固定されている（図３参照）。
【００４８】
永久磁石２４ａと永久磁石２４ｃとの間に、間隙を介してレンズホルダ１６の筒状部１８ａが配設されており、永久磁石２４ａと筒状部１８ａのトラッキングコイル３３ａとが対向している。さらに永久磁石２４ｃと筒状部１８ａのトラッキングコイル３３ｂとが対向している。
また、永久磁石２４ｂと永久磁石２４ｄとの間に、間隙を介してレンズホルダ１６の筒状部１８ｂが配設されており、永久磁石２４ｂと筒状部１８ｂのトラッキングコイル３４ａとが対向している。さらに永久磁石２４ｄとトラッキングコイル３４ｂとが対向している。
【００４９】
支柱壁２５ａ、２５ｂ及び永久磁石２４ａ、２４ｂ、２４ｃ、２４ｄの高さは、略同寸法にしており、それぞれの上端面はワイヤ支持部２２の上端面と面一になっている。
【００５０】
レンズホルダ１６をディスク３側に案内する拡幅テーパ状をなす柱状の規制部３０、３１が、基台２３のＸ軸方向の略中央部で長孔２３ａにそれぞれ臨んで、Ｚ軸方向に立設されている。つまり、規制部３０、３１は、基台２３が移動する半径方向における断面積がＺ軸方向に向けて増大するように立設されている。
規制部３０、３１はＸ軸方向に長い平面視矩形状をしている。規制部３０、３１のＹ軸方向に沿う各両側面３０ａ、３０ｂ及び両側面３１ａ、３１ｂが、Ｚ軸方向に幅が広くなる台形状に、即ち四角錐台状に形成されており、Ｘ軸方向に沿うそれぞれの側面が、テーパ面３０ｃ、３０ｄ、３１ｃ、３１ｄになっている。
【００５１】
規制部３０はレンズホルダ１６における筒状部１８ａのガイド孔１９ａに遊嵌しており、規制部３１は筒状部１８ｂのガイド孔１９ｂに遊嵌している。規制部３０、３１のＺ軸方向の各中心軸と、筒状部１８ａ、１８ｂに固設されたフォーカシングコイル３２ａ、３２ｂの各軸心とは、略一致するようになっている。
【００５２】
規制部３０、３１の上端部は、筒状部１８ａ、１８ｂの上端面よりも少しディスク３の記録面側に突き出ており、レンズ保持部１７の対物レンズ１４ａ、１４ｂの先端よりは、ディスク３の記録面側に突き出ないようにしている。
規制部３０、３１はそれぞれガイド孔１９ａ、１９ｂに遊嵌することにより、レンズホルダ１６の主にＹ軸方向の揺動を規制している。
【００５３】
基台２３、挟着部２７、支柱壁２５ａ、２５ｂ及び規制部３０、３１は、同材料で形成されている。
【００５４】
次に本発明の実施の形態１の作用について説明する。
実施の形態１では、先ず、ディスク３の記録面を下向きにしてターンテーブル４にディスク３を平置きにする。スピンドルモータ５の回転駆動によりターンテーブル４が回転し、ディスク３が回転する。サーボモータ１１の回転駆動によりスクリューシャフト９が回転し、キャリッジ６の螺合部８がスクリューシャフト９に沿って移動し、ガイドシャフト７ａ、７ｂがキャリッジ６をディスク３の内側半径方向へ案内する（図１参照）。
【００５５】
次に、光ピックアップ装置１０は、ディスク３の読み取り開始領域でレーザ光をディスク３の記録面に照射し、レーザ反射光をフォトディテクタで集光して、ディスク３の装着の有無を確認後、情報の記録再生を開始する。
【００５６】
次いで、光ピックアップ装置１０は、サーボモータ１１、スクリューシャフト９、螺合部８及びガイドシャフト７ａ、７ｂの送り機構によりディスク３の半径方向に移動する。
【００５７】
永久磁石２４ａ、２４ｃ及び規制部３０（ヨーク）で構成した磁気回路中のフォーカシングコイル３２ａにワイヤ２０ａ、２０ｂ、２０ｃを介して通電し、永久磁石２４ｂ、２４ｄ及び規制部３１（ヨーク）で構成した磁気回路中のフォーカシングコイル３２ｂにワイヤ２１ａ、２１ｂ、２１ｃを介して通電することによって、フォーカシングコイル３２ａ、３２ｂにディスク３の記録面に垂直な方向、即ちＺ軸方向に駆動力が発生し、駆動力をフォーカシング制御することにより、レンズホルダ１６の対物レンズ１４ｂ（１４ａ）がディスク３の記録面の位置変動に追従し合焦する（図２及び図３参照）。
【００５８】
さらに永久磁石２４ａ、２４ｃ及び規制部３０（ヨーク）で構成した磁気回路中のトラッキングコイル３３ａ、３３ｂにワイヤ２０ａ、２０ｂ、２０ｃを介して通電し、永久磁石２４ｂ、２４ｄ及び規制部３１（ヨーク）で構成した磁気回路中のトラッキングコイル３４ａ、３４ｂにワイヤ２１ａ、２１ｂ、２１ｃを介して通電することによって、トラッキングコイル３３ａ、３３ｂ、３４ａ、３４ｂにディスク３の半径方向に駆動力が発生し、駆動力をトラッキング制御することにより、レンズホルダ１６の対物レンズ１４ａ（１４ｂ）がディスク３の記録面の位置変動に追従する（図２及び図３参照）。
【００５９】
そして、フォーカシング制御及びトラッキング制御によりディスク３の記録面の位置変動に追従して、レンズホルダ１６の対物レンズ１４ｂ（１４ａ）がディスク３の記録面に合焦し、ディスク３情報の記録再生をする。
【００６０】
ところで、レンズホルダ１６は、一方のワイヤ２０ａ、２０ｂ、２０ｃと、他方のワイヤ２１ａ、２１ｂ、２１ｃとでワイヤ支持部２２により片持ち支持されているため、光ピックアップ装置１０が送り機構によりディスク３の半径方向に移動を開始し又は停止した場合、レンズホルダ１６の慣性力により、レンズホルダ１６がディスク３の半径方向、即ちＹ軸正逆方向に衝撃的に揺動する場合がある。
【００６１】
レンズホルダ１６がＹ軸正逆方向に衝撃的に揺動したとき、レンズホルダ１６における筒状部１８ａ、１８ｂのガイド孔１９ａ、１９ｂの上周縁の一部が、基台２３の規制部３０、３１の各テーパ面３０ｃ、３０ｄ及びテーパ面３１ｃ、３１ｄに衝突して、レンズホルダ１６がＺ軸逆方向へ跳ね返る。この跳ね返りによりレンズホルダの筒状部１８ａ、１８ｂのガイド孔１９ａ、１９ｂの上周縁の一部は、各テーパ面３０ｃ、３０ｄ及びテーパ面３１ｃ、３１ｄに再衝突して、レンズホルダ１６が揺動を繰り返し、揺動が減衰する。
規制部３０、３１の各テーパ面３０ｃ、３０ｄ及びテーパ面３１ｃ、３１ｄは、ガイド孔１９ａ、１９ｂの上周縁の一部に当接してレンズホルダ１６の揺動を封じ、Ｚ軸方向への揺動を規制する。
【００６２】
このような実施の形態１に係る光ピックアップ装置１０は、レンズアクチュエータユニット１２の基台２３に、ガイド孔１９ａ、１９ｂに遊嵌してレンズホルダ１６をディスク３側に案内する規制部３０、３１にそれぞれテーパ面３０ｃ、３０ｄ、３１ｃ、３１ｄを備えているので、レンズホルダ１６が衝撃的に揺動した場合、レンズホルダ１６の上方への揺動を規制することができる。
【００６３】
したがって、実施の形態１に係る光ピックアップ装置１０は、レンズホルダ１６に衝撃的な揺動を生じた場合、レンズホルダ１６の筒状部１８ａ、１８ｂの位置でディスク３側への揺動を規制することができ、対物レンズ１４ｂ（１４ａ）がディスク３の記録面に衝突しない。
【００６４】
なお、実施の形態１に係る規制部３０、３１は平面視矩形状にしていたが、矩形状でなくてもよく、例えば円状又は楕円状等であってもよい。規制部３０、３１の側部はＹ軸正逆方向にそれぞれ傾斜した、つまりそれぞれの方向に対して俯くテーパ状であれば、形態を問わない。
【００６５】
（実施の形態２）
次に実施の形態２について説明する。
実施の形態２は、実施の形態１に係る規制部３０、３１の構成が異なるのみで、他の構成は同様である。
図６は実施の形態２に係るレンズアクチュエータユニットの基台を上方から視た斜視図である。
なお、実質的に同一又は対応する部材には同一符号を用いて、重複する詳細な説明及び作用効果は適宜省略して説明し、以下の他の実施の形態においても同様とした。
実施の形態２に係る一方の規制部４０、４１は、それぞれＹ軸方向に長い平面視矩形状をしており、レンズホルダ１６のガイド孔１９ａに遊嵌している。
規制部４０、４１は、上底が長い平行な底辺をＹ軸方向にしたＸ軸方向視台形状をしており、Ｘ軸方向に並設されている。
【００６６】
さらに他方の規制部４２、４３は、それぞれＹ軸方向に長い平面視矩形状をしており、レンズホルダ１６のガイド孔１９ｂに遊嵌している。
規制部４２、４３は、上底が長い平行な底辺をＹ軸方向にしたＸ軸方向視台形状をしており、Ｘ軸方向に並設されている。
規制部４０、４１間のＸ軸方向の寸法は、実施の形態１に係る規制部３０のＸ軸方向の寸法と同寸法であり、規制部４２、４３間のＸ軸方向の寸法は規制部３１のＸ軸方向の寸法と同寸法である。
【００６７】
また規制部４０、４１は規制部３０の側面３０ａ（３０ｂ）と略同形・略同寸法であり、規制部４２、４３は規制部３１の側面３１ａ（３１ｂ）と略同形・略同寸法である。
規制部４０及び規制部４１のＸ軸方向に沿う各側面は、それぞれテーパ面４０ａ、４０ｂ及びテーパ面４１ａ、４１ｂになっている。さらに規制部４２及び規制部４３のＸ軸方向に沿う各側面は、それぞれテーパ面４２ａ、４２ｂ及びテーパ面４３ａ、４３ｂになっている。
【００６８】
このような実施の形態２では、レンズホルダ１６がＹ軸正逆方向に衝撃的に揺動した場合、レンズホルダ１６における筒状部１８ａのガイド孔１９ａの上周縁の一部が、基台２３の規制部４０、４１の各テーパ面４０ａ、４０ｂ及びテーパ面４１ａ、４１ｂに衝突し、さらに筒状部１８ｂのガイド孔１９ｂの上周縁の一部が、基台２３の規制部４２、４３の各テーパ面４２ａ、４２ｂ及びテーパ面４３ａ、４３ｂに衝突して、レンズホルダ１６がＺ軸逆方向へ跳ね返る。この跳ね返りによりレンズホルダの筒状部１８ａ、１８ｂのガイド孔１９ａ、１９ｂの上周縁の一部は、規制部４２、４３の各テーパ面４２ａ、４２ｂ及びテーパ面４３ａ、４３ｂに再衝突して、レンズホルダ１６が揺動を繰り返し、揺動が減衰する。
規制部４０、４１及び規制部４２、４３の各テーパ面４０ａ、４０ｂ、４１ａ、４１ｂ及びテーパ面４２ａ、４２ｂ、４３ａ、４３ｂは、それぞれガイド孔１９ａ、１９ｂの上周縁の一部に当接してレンズホルダ１６の揺動を封じ、Ｚ軸方向への揺動を規制する。
【００６９】
したがって、実施の形態２に係る光ピックアップ装置１０は、レンズアクチュエータユニット１２の基台２３に、ガイド孔１９ａ、１９ｂに遊嵌してレンズホルダ１６をディスク３側に案内する規制部４０、４１及び規制部４２、４３にそれぞれテーパ面４０ａ、４０ｂ・・・を備えているので、レンズホルダ１６が衝撃的に揺動した場合、レンズホルダ１６の上方への揺動を規制することができる。
【００７０】
（実施の形態３）
次に実施の形態３について説明する。
実施の形態３は、実施の形態１に係る規制部３０、３１の構成が異なるのみで、他の構成は同様である。実施の形態１では規制部３０及び規制部３１のＸ軸方向に沿う側面をテーパ面３０ｃ、３０ｄ及びテーパ面３１ｃ、３１ｄとしたが、実施の形態３では対物レンズ１４ａ、１４ｂ側のテーパ面３０ｄ、３１ｄのテーパをなくして垂直面としたものである。
【００７１】
図７は実施の形態３に係るレンズホルダのガイド孔と基台の規制部との位置関係を示す断面図である。
なお、図７は図５に相当する断面図であり、一部ハッチングを省略した。
実施の形態３に係る規制部５０、５１は角柱状であり、Ｘ軸方向に長い平面視矩形状をしている。規制部５０がガイド孔１９ａに遊嵌し、規制部５１がガイド孔１９ｂに遊嵌している。
規制部５０のＹ軸方向に沿う両側面は、Ｚ軸方向に幅が広くなっている台形状をしている。規制部５０の対物レンズ１４ａ、１４ｂ側のＸ軸方向に沿う側面は垂直面５０ｂであり、反対側のＸ軸方向に沿う側面はテーパ面５０ａとなっている。
【００７２】
規制部５１のＹ軸方向に沿う両側面は、Ｚ軸方向に幅が広くなっている台形状をしている。規制部５１の対物レンズ１４ａ、１４ｂ側のＸ軸方向に沿う側面は垂直面５１ｂであり、反対側のＸ軸方向に沿う側面はテーパ面５１ａとなっている。
なお、規制部５０、５１の対物レンズ１４ａ、１４ｂ側の側面をテーパ面とし、反対側の側面を垂直面としてもよい。
【００７３】
このような実施の形態３では、レンズホルダ１６がＹ軸正逆方向に衝撃的に揺動した場合、レンズホルダ１６における筒状部１８ａ、１８ｂの各ガイド孔１９ａ、１９ｂの対物レンズ１４ａ、１４ｂと反対側の各上周縁の一部が、基台２３の規制部５０、５１の各テーパ面５０ａ、５１ａに衝突して、レンズホルダ１６がＺ軸逆方向へ跳ね返る。この跳ね返りによりレンズホルダの筒状部１８ａ、１８ｂのガイド孔１９ａ、１９ｂの対物レンズ１４ａ、１４ｂと反対側の各上周縁の一部は、基台２３の規制部５０、５１の各テーパ面５０ａ、５１ａに再衝突して、レンズホルダ１６が揺動を繰り返し、揺動が減衰する。
規制部５０、５１の各テーパ面５０ａ、５１ａは、それぞれガイド孔１９ａ、１９ｂの上周縁の一部に当接してレンズホルダ１６の揺動を封じ、Ｚ軸方向への揺動を規制する。
【００７４】
したがって、実施の形態３に係る光ピックアップ装置１０は、レンズアクチュエータユニット１２の基台２３に、ガイド孔１９ａ、１９ｂに遊嵌してレンズホルダ１６をディスク３側に案内する規制部５０、５１にそれぞれテーパ面５０ａ、５１ａを備えているので、レンズホルダ１６が衝撃的に揺動した場合、レンズホルダ１６の上方への揺動を規制することができる。
【００７５】
なお、実施の形態３においても実施の形態２を同様に適用できる。即ち、基台２３の一方及び他方の規制部が、実施の形態３に係る規制部５０、５１のＹ軸方向に沿う側面と略同形・略同寸法の台形状をしており、それぞれＸ軸方向に二個並設されるようにしてもよい。この場合の作用効果は実施の形態３と同様である。
【００７６】
（実施の形態４）
次に実施の形態４について説明する。
実施の形態４は、実施の形態１に係る規制部３０、３１の構成が一部異なるのみで、他の構成は同様である。実施の形態１に係る規制部３０、３１は、ヨークを兼ねる基台２３と同材料で形成されているが、実施の形態４では、基台２３と同材料のガイド基部に規制カバーを被せて規制部としたものである。
【００７７】
図８は実施の形態４に係るレンズアクチュエータユニットの基台を上方から視た斜視図、図９は基台のガイド基部に被せる規制カバーを下方から視た斜視図、図１０は規制部を示す斜視図、図１１はレンズホルダのガイド孔と基台の規制部との位置関係を示す断面図である。
なお、図１１は図５に相当する断面図であり、一部ハッチングを省略した。
実施の形態４に係る基台２３には、Ｙ軸方向視矩形板状のガイド基部５４、５６が基台２３のＸ軸方向の略中央部で対向して長孔２３ａにそれぞれ臨み、Ｚ軸方向に立設されている。
ガイド基部５４、５６には、実施の形態１に係る規制部３０、３１と略同形・略同寸法の樹脂製の規制カバー５８、５８が被覆されている。
なお、規制カバー５８には、ガイド基部５４（５６）と略同形・略同寸法の嵌合孔５８ａが形成されている。
【００７８】
ガイド基部５４、５６に規制カバー５８、５８がそれぞれ被覆された場合、一方の規制部６０は実施の形態１に係る規制部３０と同形・同寸法になり、他方の規制部６１は規制部３１と同形・同寸法になるようにしている。即ち、規制部６０は規制部３０と同様のテーパ面６０ａ、６０ｂを有し、規制部６１は規制部３１と同様のテーパ面６１ａ、６１ｂを有している。
規制部６０はガイド孔１９ａに遊嵌し、規制部６１はガイド孔１９ｂに遊嵌している。
【００７９】
このような実施の形態４では、例えばプレス加工により基台２３に一体成形されたガイド基部５４、５６に、規制カバー５８、５８を被せるだけで、テーパ面を有する規制部６０、６１になる。
レンズホルダ１６がＹ軸正逆方向に衝撃的に揺動し、レンズホルダ１６のガイド孔１９ａ、１９ｂの上周縁の一部と、規制部６０、６１のテーパ面６０ａ、６０ｂ、６１ａ、６１ｂとが衝突した場合、レンズホルダ１６及び規制部６０、６１が樹脂製であるため、衝突による損傷が生じない。
実施の形態４の作用効果は実施の形態１と同様であるので省略する。
【００８０】
（実施の形態５）
図１２は実施の形態５に係る規制部を示す斜視図である。
実施の形態５に係る基台２３には、Ｘ軸方向視矩形板状のガイド基部６２、６３が、基台２３のＸ軸方向の略中央部で長孔２３ａの一方の縁の近傍にて、対向してＸ軸方向に並設されている。ガイド基部６２、６３に実施の形態４と同様の規制カバー５９が被覆されており、規制部６６が形成されている。規制部６６はガイド孔１９ａに遊嵌している。
規制カバー５９にはガイド基部６２、６３と略同形・略同寸法の嵌合孔５９ａ、５９ｂが形成されており、嵌合孔５９ａ、５９ｂにガイド基部６２、６３が嵌合している。
【００８１】
さらに基台２３のＸ軸方向の略中央部で長孔２３ａの他方の縁の近傍にて、Ｘ軸方向視矩形板状のガイド基部６４、６５が、対向してＸ軸方向に並設されている。ガイド基部６４、６５に実施の形態４と同様の規制カバー５９が被覆されており、規制部６８が形成されている。規制部６８はガイド孔１９ｂに遊嵌している。
規制カバー５９にはガイド基部６４、６５と略同形・略同寸法の嵌合孔５９ｃ、５９ｄが形成されており、嵌合孔５９ｃ、５９ｄにガイド基部６４、６５が嵌合している。
なお、図１２中、符号６６ａ、６６ｂは規制部６６のテーパ面を示し、符号６８ａ、６ｂは規制部６８のテーパ面を示す。
実施の形態５の作用効果は実施の形態４と同様であるので省略する。
【００８２】
次に規制部とガイド孔の変形例について説明する。
以下ではレンズホルダ１６の一方の筒状部１８ａについて説明するが、他方の筒状部１８ｂについても同様である。
また、上述したように筒状部１８ａは四角筒状をしており、一方の端部を上端部とし、他方の端部を下端部として説明するが、本発明では上下の別は特に問わない。
（実施の形態６）
図１３は実施の形態６に係る突出部及び規制部のＹ軸方向断面図である。
基台２３にＺ軸方向に立設された規制部７２は、Ｘ軸方向に長い平面視矩形状をしており、Ｚ軸方向の略中央部の突出部７２ａ、７２ｂからＹ軸方向の寸法が短い幅狭になっている。
筒状部１８ａのガイド孔７５は、下端部の矩形状の開口部から上端部の矩形状の開口部へ向けてＹ軸方向の寸法が長くなるテーパ状をしており、筒状部１８ａのＸ軸方向に沿う一方及び他方の内周面が、上向き状のテーパ面７８ａ、７８ｂになっている。
【００８３】
このような実施の形態６では、レンズホルダ１６がＹ軸正逆方向に衝撃的に揺動した場合、筒状部１８ａのテーパ面７８ａ、７８ｂが、規制部７２の突出部７２ａ、７２ｂに衝突して、レンズホルダ１６がＺ軸逆方向へ跳ね返る。この跳ね返りによりレンズホルダの筒状部１８ａのテーパ面７８ａ、７８ｂは、規制部７２の突出部７２ａ、７２ｂに再衝突して、レンズホルダ１６が揺動を繰り返し、揺動が減衰する。
規制部の突出部７２ａ、７２ｂは、筒状部１８ａのテーパ面７８ａ、７８ｂにそれぞれに当接してレンズホルダ１６の揺動を封じ、Ｚ軸方向への揺動を規制する。
したがって、実施の形態６に係る光ピックアップ装置１０は、レンズホルダ１６が衝撃的に揺動した場合、レンズホルダ１６の上方への揺動を規制することができる。
【００８４】
（実施の形態７）
図１４は実施の形態７に係る突出部及び規制部のＹ軸方向断面図である。
実施の形態７に係る規制部７２は実施の形態６と同様の構成である。
ガイド孔７６が形成された筒状部１８ａのＸ軸方向に沿う一方及び他方の内周面は、上端部の開口部の縁から規制部７２の突出部７２ａ、７２ｂに対向する位置まで垂直面７３ａ、７３ｂになっている。さらに垂直面７３ａ、７３ｂに連設された筒状部１８ａの内周面は、突出部７２ａ、７２ｂに対向する位置から下端部の開口部側へ形成された上向き状のテーパ面７４ａ、７４ｂになっており、テーパ面７４ａ、７４ｂの各下縁から下端部の開口部の縁まで垂直面７５ａ、７５ｂになっている。
【００８５】
このような実施の形態７では、レンズホルダ１６がＹ軸正逆方向に衝撃的に揺動した場合、筒状部１８ａのテーパ面７４ａ、７４ｂが、規制部７２の突出部７２ａ、７２ｂに衝突して、レンズホルダ１６がＺ軸逆方向へ跳ね返る。この跳ね返りによりレンズホルダの筒状部１８ａのテーパ面７４ａ、７４ｂは、規制部７２の突出部７２ａ、７２ｂに再衝突して、レンズホルダ１６が揺動を繰り返し、揺動が減衰する。
規制部の突出部７２ａ、７２ｂは、筒状部１８ａのテーパ面７４ａ、７４ｂにそれぞれに当接してレンズホルダ１６の揺動を封じ、Ｚ軸方向への揺動を規制する。
したがって、実施の形態７に係る光ピックアップ装置１０は、レンズホルダ１６が衝撃的に揺動した場合、レンズホルダ１６の上方への揺動を規制することができる。
【００８６】
（実施の形態８）
図１５は実施の形態８に係る突出部及び規制部のＹ軸方向断面図である。
実施の形態８に係るガイド孔７５は実施の形態６と同様であり、筒状部１８ａは実施の形態６と同様に、上向き状のテーパ面７８ａ、７８ｂが形成されている。
基台２３にＺ軸方向に立設された規制部８２は、Ｘ軸方向に長い平面視矩形状をしている。規制部８２は上端部からＺ軸方向の中央部より少し上部側の垂直壁部８３までＹ軸方向の寸法が同寸法である。垂直壁部８３から下側は、Ｙ軸方向の寸法が短くなっていっており、Ｘ軸方向に沿う下向き状のテーパ面８２ａ、８２ｂが形成されている。
【００８７】
このような実施の形態８では、レンズホルダ１６がＹ軸正逆方向に衝撃的に揺動した場合、ガイド孔７５のＸ軸方向に沿う下周縁の一部が、規制部８２のテーパ面８２ａ、８２ｂに衝突して、レンズホルダ１６がＺ軸逆方向へ跳ね返る。
この跳ね返りによりガイド孔７５のＸ軸方向に沿う下周縁の一部は、規制部８２のテーパ面８２ａ、８２ｂに再衝突して、レンズホルダ１６が揺動を繰り返し、揺動が減衰する。
規制部８２のテーパ面８２ａ、８２ｂは、ガイド孔７５の下周縁の一部に当接してレンズホルダ１６の揺動を封じ、Ｚ軸方向への揺動を規制する。
したがって、実施の形態８に係る光ピックアップ装置１０は、レンズホルダ１６が衝撃的に揺動した場合、レンズホルダ１６の上方への揺動を規制することができる。
【００８８】
（実施の形態９）
図１６は実施の形態９に係る突出部及び規制部のＹ軸方向断面図である。
実施の形態９に係る規制部８２は実施の形態８と同様の構成である。
ガイド孔７７が形成された筒状部１８ａのＸ軸方向に沿う一方及び他方の内周面は、上端部の開口部の縁から規制部８２のテーパ面８２ａ、８２ｂの上部近傍に相当する位置まで、垂直面７５ａ、７５ｂになっている。垂直面７５ａ、７５ｂの各下縁から下端部の開口部のＸ軸方向に沿う下周縁まで、上向き状のテーパ面７７ａ、７７ｂが形成されている。
【００８９】
このような実施の形態９では、レンズホルダ１６がＹ軸正逆方向に衝撃的に揺動した場合、ガイド孔７７のＸ軸方向に沿う下周縁の一部が、規制部８２のテーパ面８２ａ、８２ｂに衝突して、レンズホルダ１６がＺ軸逆方向へ跳ね返る。
この跳ね返りによりガイド孔７７のＸ軸方向に沿う下周縁の一部は、規制部８２のテーパ面８２ａ、８２ｂに再衝突して、レンズホルダ１６が揺動を繰り返し、揺動が減衰する。
規制部のテーパ面８２ａ、８２ｂは、ガイド孔７７の下周縁の一部に当接してレンズホルダ１６の揺動を封じ、Ｚ軸方向への揺動を規制する。
したがって、実施の形態９に係る光ピックアップ装置１０は、レンズホルダ１６が衝撃的に揺動した場合、レンズホルダ１６の上方への揺動を規制することができる。
【００９０】
（実施の形態１０）
図１７は実施の形態１０に係る突出部及び規制部のＹ軸方向断面図である。
筒状部１８ａのガイド孔７９は、上端部の開口部からＺ軸方向の略中央部までＹ軸方向の寸法が同寸法の孔になっており、略中央部から下端部の開口部まで、上端部の開口部のＹ軸方向の寸法が短い孔になっている。即ち、ガイド孔７９が形成された筒状部１８ａのＸ軸方向に沿う一方及び他方の内周面は、Ｚ軸方向の略中央部まで垂直面７５ａ、７５ｂになっており、内向きに突出する突出部７９ａ、７９ｂを介して、下端部の開口部まで垂直面７５ｃ、７５ｄになっている。
実施の形態１０に係る規制部８２は実施の形態８と同様の構成であり、規制部８２の下向き状のテーパ面８２ａ、８２ｂの各上縁は、突出部７９ａ、７９ｂよりも上方に位置するようになっている。
【００９１】
このような実施の形態１０では、レンズホルダ１６がＹ軸正逆方向に衝撃的に揺動した場合、ガイド孔７９が形成された筒状部１８ａの内周面の突出部７９ａ、７９ｂが、規制部８２のテーパ面８２ａ、８２ｂに衝突して、レンズホルダ１６がＺ軸逆方向へ跳ね返る。
この跳ね返りによりガイド孔７９が形成された筒状部１８ａの内周面の突出部７９ａ、７９ｂは、規制部８２のテーパ面８２ａ、８２ｂに再衝突してレンズホルダ１６が揺動を繰り返し、揺動が減衰する。
規制部の下向き状のテーパ面８２ａ、８２ｂは、突出部７９ａ、７９ｂに当接してレンズホルダ１６の揺動を封じ、Ｚ軸方向への揺動を規制する。
したがって、実施の形態１０に係る光ピックアップ装置１０は、レンズホルダ１６が衝撃的に揺動した場合、レンズホルダ１６の上方への揺動を規制することができる。
【００９２】
（実施の形態１１）
図１８は実施の形態１１に係る突出部及び規制部のＹ軸方向断面図である。
基台２３にＺ軸方向に立設された規制部９２は、Ｘ軸方向に長い平面視矩形状をしている。規制部９２は上端部からＺ軸方向の中央部より少し上部側の垂直壁部８３までＹ軸方向の寸法が同寸法である。垂直壁部８３から下側の所定位置までは、Ｙ軸方向の寸法が短くなっていっており、Ｘ軸方向に沿う下向き状のテーパ面９２ａ、９２ｂが形成されている。テーパ面９２ａ、９２ｂの各下縁から基台２３まで垂直壁８４が形成されている。
筒状部１８ａのガイド孔７５は実施の形態６と同様である。
【００９３】
このような実施の形態１１では、レンズホルダ１６がＹ軸正逆方向に衝撃的に揺動した場合、ガイド孔７５のＸ軸方向に沿う下周縁の一部が、規制部９２の下向き状のテーパ面９２ａ、９２ｂに衝突して、レンズホルダ１６がＺ軸逆方向へ跳ね返る。この跳ね返りによりガイド孔７５のＸ軸方向に沿う下周縁の一部は、規制部９２の下向き状のテーパ面９２ａ、９２ｂに再衝突して、レンズホルダ１６が揺動を繰り返し、揺動が減衰する。
規制部９２の下向き状のテーパ面９２ａ、９２ｂは、ガイド孔７５の下周縁の一部に当接してレンズホルダ１６の揺動を封じ、Ｚ軸方向への揺動を規制する。
したがって、実施の形態１１に係る光ピックアップ装置１０は、レンズホルダ１６が衝撃的に揺動した場合、レンズホルダ１６の上方への揺動を規制することができる。
【００９４】
（実施の形態１２）
図１９は実施の形態１２に係る突出部及び規制部のＹ軸方向断面図である。
実施の形態１２に係る規制部９２は実施の形態１１と同様の構成であり、ガイド孔７７が形成された筒状部１８ａは実施の形態９と同様の構成である。
【００９５】
このような実施の形態１２では、レンズホルダ１６がＹ軸正逆方向に衝撃的に揺動した場合、ガイド孔７７のＸ軸方向に沿う下周縁の一部が、規制部９２の下向き状のテーパ面９２ａ、９２ｂに衝突して、レンズホルダ１６がＺ軸逆方向へ跳ね返る。この跳ね返りによりガイド孔７７のＸ軸方向に沿う下周縁の一部は、規制部９２の下向き状のテーパ面９２ａ、９２ｂに再衝突して、レンズホルダ１６が揺動を繰り返し、揺動が減衰する。
規制部９２の下向き状のテーパ面９２ａ、９２ｂは、ガイド孔７７の下周縁の一部に当接してレンズホルダ１６の揺動を封じ、Ｚ軸方向への揺動を規制する。
したがって、実施の形態１２に係る光ピックアップ装置１０は、レンズホルダ１６が衝撃的に揺動した場合、レンズホルダ１６の上方への揺動を規制することができる。
【００９６】
（実施の形態１３）
図２０は実施の形態１３に係る突出部及び規制部のＹ軸方向断面図である。
実施の形態１３に係るガイド孔７９が形成された筒状部１８ａは実施の形態１０と同様の構成である。
実施の形態１３に係る規制部９２は実施の形態１１と同様の構成であり、規制部９２の下向き状のテーパ面９２ａ、９２ｂの各上縁は、突出部７９ａ、７９ｂよりも上方に位置するようになっている。
【００９７】
このような実施の形態１３では、レンズホルダ１６がＹ軸正逆方向に衝撃的に揺動した場合、ガイド孔７９が形成された筒状部１８ａの内周面の突出部７９ａ、７９ｂが、規制部９２のテーパ面９２ａ、９２ｂに衝突して、レンズホルダ１６がＺ軸逆方向へ跳ね返る。
この跳ね返りによりガイド孔７９が形成された筒状部１８ａの内周面の突出部７９ａ、７９ｂは、規制部９２のテーパ面９２ａ、９２ｂに再衝突して、レンズホルダ１６が揺動を繰り返し、揺動が減衰する。
規制部の下向き状のテーパ面９２ａ、９２ｂは、突出部７９ａ、７９ｂに当接してレンズホルダ１６の揺動を封じ、Ｚ軸方向への揺動を規制する。
したがって、実施の形態１３に係る光ピックアップ装置１０は、レンズホルダ１６が衝撃的に揺動した場合、レンズホルダ１６の上方への揺動を規制することができる。
【００９８】
（実施の形態１４）
図２１は実施の形態１４に係る突出部及び規制部のＹ軸方向断面図である。
実施の形態１４に係る規制部９４は、実施の形態４に係るガイド基部５４にＸ軸方向に長い直方体状の樹脂製規制カバー９５を、ガイド基部５４の一部である上端部５４ａに被覆したものである。筒状部１８ａのガイド孔７５は実施の形態６と同様の構成である。
実施の形態１４では、ガイド基部５４の上端部５４ａに樹脂製規制カバー９５を被せるだけで規制部９４になる。
その他の作用効果は実施の形態６と同様であるので省略する。
【００９９】
なお、実施の形態６から実施の形態１３までにおける規制部７２、８２、９２と略同形状・略同寸法の規制カバーを形成して、実施の形態４に係るガイド基部５４（５６）又は実施の形態５に係るガイド基部６２（６３）に被覆するようにしてもよい。
以上説明したガイド孔の上端部における矩形状の開口部と、下端部における矩形状の開口部とは略同心又は偏芯して形成されていてもよい。
【図面の簡単な説明】
【０１００】
【図１】本発明の実施の形態１に係る光ピックアップ装置を備えるディスクドライブの概略内部構造を示す斜視図である。
【図２】レンズアクチュエータユニットがキャリッジに配設された光ピックアップ装置の平面図である。
【図３】レンズアクチュエータユニットを上方から視た斜視図である。
【図４】レンズアクチュエータユニットの基台を上方から視た斜視図である。
【図５】レンズホルダのガイド孔と基台の規制部との位置関係を示す図２のＶ−Ｖ断面図である。
【図６】実施の形態２に係るレンズアクチュエータユニットの基台を上方から視た斜視図である。
【図７】実施の形態３に係るレンズホルダのガイド孔と基台の規制部との位置関係を示す断面図である。
【図８】実施の形態４に係るレンズアクチュエータユニットの基台を上方から視た斜視図である。
【図９】基台のガイド基部に被せる規制カバーを下方から視た斜視図である。
【図１０】規制部を示す斜視図である。
【図１１】レンズホルダのガイド孔と基台の規制部との位置関係を示す断面図である。
【図１２】実施の形態５に係る規制部を示す斜視図である。
【図１３】実施の形態６に係る突出部及び規制部のＹ軸方向断面図である。
【図１４】実施の形態７に係る突出部及び規制部のＹ軸方向断面図である。
【図１５】実施の形態８に係る突出部及び規制部のＹ軸方向断面図である。
【図１６】実施の形態９に係る突出部及び規制部のＹ軸方向断面図である。
【図１７】実施の形態１０に係る突出部及び規制部のＹ軸方向断面図である。
【図１８】実施の形態１１に係る突出部及び規制部のＹ軸方向断面図である。
【図１９】実施の形態１２に係る突出部及び規制部のＹ軸方向断面図である。
【図２０】実施の形態１３に係る突出部及び規制部のＹ軸方向断面図である。
【図２１】実施の形態１４に係る突出部及び規制部のＹ軸方向断面図である。
【符号の説明】
【０１０１】
３  ディスク
１４ａ、１４ｂ  対物レンズ（レンズ）
１６  レンズホルダ
１８ａ、１８ｂ  筒状部
２０ａ、２０ｂ、２０ｃ、２１ａ、２１ｂ、２１ｃ  ワイヤ
２２  ワイヤ支持部
２３  基台
３０、３１、４０、４１、４２、４３、５０、５１  規制部
３０ｃ、３０ｄ、３１ｃ、３１ｄ  テーパ面
３２ａ、３２ｂ  フォーカシングコイル
４０ａ、４０ｂ、４１ａ、４１ｂ、４２ａ、４２ｂ、４３ａ、４３ｂ  テーパ面
５０ａ、５１ａ、６０ａ、６０ｂ、６１ａ、６１ｂ  テーパ面
５０ｂ、５１ｂ  垂直面
５４、５６、６２、６３、６４、６５  ガイド基部（基部）
５８、５９、９５  規制カバー
６０、６１、６６、６８、７２、８２、９２、９４  規制部
６６ａ、６６ｂ、６８ａ、６８ｂ、７４ａ、７４ｂ  テーパ面
７２ａ、７２ｂ、７９ａ、７９ｂ  突出部
７７ａ、７７ｂ、７８ａ、７８ｂ、８２ａ、８２ｂ、９２ａ、９２ｂ  テーパ面
【図１】
2009199659.tif 000003
【図２】
2009199659.tif 000004
【図３】
2009199659.tif 000005
【図４】
2009199659.tif 000006
【図５】
2009199659.tif 000007
【図６】
2009199659.tif 000008
【図７】
2009199659.tif 000009
【図８】
2009199659.tif 000010
【図９】
2009199659.tif 000011
【図１０】
2009199659.tif 000012
【図１１】
2009199659.tif 000013
【図１２】
2009199659.tif 000014
【図１３】
2009199659.tif 000015
【図１４】
2009199659.tif 000016
【図１５】
2009199659.tif 000017
【図１６】
2009199659.tif 000018
【図１７】
2009199659.tif 000019
【図１８】
2009199659.tif 000020
【図１９】
2009199659.tif 000021
【図２０】
2009199659.tif 000022
【図２１】
2009199659.tif 000023